(57)【要約】 【課題】  くじ参加者がくじを選択してから抽選結果をくじ参加者へ通知するまでの工程を自動化し、運用コストを低減させた非接触ＩＣタグを使用したくじ引き抽選システムを得る。    【解決手段】  容器の中に複数のボール状くじ３７を入れ、その中から１個だけ抜き取り、当たり、又ははずれを抽選するくじ引き抽選システムであって、当たり、または、はずれを決定する球状あるいは多面体状の物の個々に、くじ記号データを予め書き込んである複数の非接触ＩＣタグを取り付けたくじを利用したくじ引き抽選システムとする。【選択図】  図３
2006202099.tif 000002
【特許請求の範囲】
【請求項１】
抽選結果の判定用データが書き込まれた非接触ＩＣタグが取り付けられたことを特徴とする抽選用くじ。
【請求項２】
前記抽選用くじ１個に複数個の非接触ＩＣタグが取り付けられていることを特徴とする請求項１記載の抽選用くじ。  
【請求項３】
前記複数個の非接触ＩＣタグの少なくとも２個の非接触ＩＣタグの平面が相互に略直交するように取り付けられていることを特徴とする請求項２記載の抽選用くじ。  
【請求項４】
前記抽選用くじは、その形状を球とすることを特徴とする請求項１ないし３のいずれかに記載の抽選用くじ。  
【請求項５】
前記抽選用くじは、その形状を多面体とすることを特徴とする請求項１ないし３のいずれかに記載の抽選用くじ。  
【請求項６】
請求項１から５のいずれかひとつに記載の抽選用くじを１個以上入れた容器中から、前記抽選用くじを抜き出して行うことを特徴とするくじ引き抽選システム。
【請求項７】
請求項１から５のいずれかひとつに記載の抽選用くじを、前記非接触ＩＣタグに書き込まれた抽選結果の判定用データを読みとるアンテナを一体化して設けた容器に１個以上入れ、前記容器から前記抽選用くじを抜き出して行うことを特徴とするくじ引き抽選システム。
【請求項８】
前記抽選用くじを容器から抜き出した時に、前記容器中に残る抽選用くじに書き込まれた非接触ＩＣタグの抽選結果の判定用データ、もしくは前記容器中に抽選用くじがないことを読み取ることにより、くじ判定を行う機能を有することを特徴とする請求項６又は７記載のくじ引き抽選システム。
【請求項９】
前記容器に抽選結果を通知する表示装置およびスピーカーを一体化して設けたことを特徴とする請求項６から８のいずれかひとつに記載のくじ引き抽選システム。
【発明の詳細な説明】
【技術分野】
【０００１】
本発明は、くじ引き抽選にて使用するのに好適な非接触ＩＣタグを使用したくじ及びくじ引き抽選システムに関する。
【背景技術】
【０００２】
従来、抽選により賞金や賞品を得るシステムとしてくじがある。宝くじやお年玉付年賀はがきに代表されるくじは、くじ主催者から配布される、あるいはくじ参加者が選択するくじの保持するくじ記号を当選記号と照合して抽選を行う。くじ記号は数字や色、バーコードなどにより保持されている。くじは人の意思の介在しない物事の決定方法として用いられてきた。
【０００３】
近年では、くじはインターネット等のコンピュータネットワーク上で電子的媒体をもとに行われている。電子的媒体を使用したくじは、まずくじ参加者がくじ主催者が用意する登録フォームに従い、くじ番号を登録する。くじ主催者は、登録されたくじ番号の中から抽選により当選くじ番号を決定する。くじ主催者は、当選くじ番号の登録者に対し、電子メール等により当選を通知する。
【０００４】
このような形態のくじは、例えば、特許文献１、特許文献２に記載されている。特許文献１には、インターネット等、コンピュターネットワークを利用した電子くじシステムについて記載されている。特許文献２には、携帯電話を仲介とした抽選装置について記載されている。
【０００５】
【特許文献１】特開２００１−２２９４２５号公報
【特許文献２】特開２００２−７３８８３号公報
【発明の開示】
【発明が解決しようとする課題】
【０００６】
従来のくじシステムは、くじのくじ記号と当選記号との照合は人が行う必要があった。くじ主催者がくじ会場に常時待機し、くじ参加者の選択したくじ記号と当選くじ記号を照合し、くじ参加者へ抽選の結果を通知しなければならなかった。くじ主催者は、くじが開催されている期間は、くじ会場に常に抽選用の係員を待機させている必要があり、これによりくじ運用コストの増加をよぎなくされていた。
【０００７】
一方、コンピュータネットワークを利用した電子くじでは、登録されたくじ番号からコンピュータが当選番号を決定するため、くじ番号と当選番号の照合に人手を必要としない。さらに、当選者には自動で電子メールにより当選を通知するプログラムを用意することで、抽選終了後の当選者への通知を自動化することができる。
【０００８】
しかし、通知方法が電子メールである場合、ネットワークのトラブルにより当選者に電子メールが配信されなかった場合や配信された電子メールを当選者が読まなかった場合など、抽選結果が確実に通知されない恐れがある。さらに、ネットワークを利用した電子くじのシステムは、ネットワーク回線、サーバ、データベース等多くの構成要素を必要とし、システム構築が煩雑になる。また、システムの構成が複雑なため、システム導入のためのコストや保守コストがくじ主催者の負担となる。
【０００９】
従って、本発明の課題は、くじ参加者がくじを選択してから抽選結果をくじ参加者へ通知するまでの工程を自動化したくじ及びくじ引き抽選システムを提供することである。  
【課題を解決するための手段】
【００１０】
本発明は、非接触ＩＣタグを使用することにより上記課題を解決する自動くじ引きシステムを提供するものである。非接触ＩＣタグとは、データを保持するＩＣチップと電波を送受信するアンテナとからなる固体識別子であり、専用のリーダーと電波を使用してＩＣチップ内のデータのやりとりをする。
【００１１】
この非接触ＩＣタグをくじに取り付け、くじ記号をデータとして記憶させる。リーダーは、通信範囲に入った非接触ＩＣタグを認識し、自動的に非接触ＩＣタグ内の抽選結果の判定用データであるくじ記号データを読み取る。読み取られたくじ記号データは、電子情報であるため、当たりはずれ等の抽選結果の判定を容易に行うことができる。
【００１２】
これらの非接触ＩＣタグを取り付けたくじと非接触ＩＣタグを読み取るリーダー及びアンテナと、読み取ったくじ記号データの当たりはずれ等の抽選結果を判定する機能と、抽選結果をくじ参加者へ通知する表示機能、及びスピーカーを一体化したくじ収容容器を使用することで、くじ参加者が選択したくじのくじ記号データを自動的に読み取り、抽選結果をくじ参加者へ通知する、導入の容易なくじ引き抽選システムを提供することができる。
【００１３】
即ち、本発明は、抽選結果の判定用データが書き込まれた非接触ＩＣタグが取り付けられた抽選用くじである。
【００１４】
また、本発明は、前記抽選用くじ１個に複数個の非接触ＩＣタグが取り付けられている抽選用くじである。  
【００１５】
また、本発明は、前記複数個の非接触ＩＣタグの少なくとも２個の非接触ＩＣタグの平面が相互に略直交するように取り付けられている抽選用くじである。  
【００１６】
また、本発明は、前記抽選用くじは、その形状を球とする抽選用くじである。  
【００１７】
また、本発明は、前記抽選用くじは、その形状を多面体とする抽選用くじである。  
【００１８】
また、本発明は、前記抽選用くじを１個以上入れた容器中から、前記抽選用くじを抜き出して行うくじ引き抽選システムである。
【００１９】
また、本発明は、前記抽選用くじを、前記非接触ＩＣタグに書き込まれた抽選結果の判定用データを読みとるアンテナを一体化して設けた容器に１個以上入れ、前記容器から前記抽選用くじを抜き出して行うくじ引き抽選システムである。
【００２０】
また、本発明は、前記抽選用くじを容器から抜き出した時に、前記容器中に残る抽選用くじに書き込まれた非接触ＩＣタグの抽選結果の判定用データ、もしくは前記容器中に抽選用くじがないことを読み取ることにより、くじ判定を行う機能を有するくじ引き抽選システムである。
【００２１】
また、本発明は、前記容器に抽選結果を通知する表示装置およびスピーカーを一体化して設けたくじ引き抽選システムである。
【発明の効果】
【００２２】
本発明の非接触ＩＣタグを使用したくじ引き抽選システムは、抽選結果の判定用データを書き込んだ複数の非接触ＩＣタグを備えたくじと、前記非接触ＩＣタグの抽選結果の判定用データを読み取るリーダー及びアンテナと、読み取られた判定用データから当たりはずれ等の抽選結果の判定を行う機能と抽選結果をくじ参加者へ通知するための表示機能及びスピーカーを一体化したことにより、くじ参加者が、くじを選択してから抽選結果をくじ参加者へ通知するまでの工程を自動化することができ、ひいてはで運用コストを低減させたくじ及びくじ引き抽選システムを提供できる。
【発明を実施するための最良の形態】
【００２３】
本発明の非接触ＩＣタグを使用したくじ引き抽選システムでは、くじ記号としての抽選結果の判定用データを保持する複数の非接触ＩＣタグを備えた球、あるいは複数の多面体からなるくじを用いる。前記非接触ＩＣタグのデータを読み取るリーダーとそのアンテナからなる非接触ＩＣタグ読み取り装置と前記非接触ＩＣタグから読み取ったデータから抽選結果の判定を行う。更に、前記抽選結果をくじ参加者へ通知するために表示装置及びスピーカーを一体化したくじ収納容器を用いると良い。
【００２４】
ここで、くじ参加者が選択した前記球、あるいは複数の多面体からなるくじを収納容器から取り出すと、その取り出したくじを検出し、検出したくじデータを非接触ＩＣタグ読み取り装置で読み取り、読み取った判定用データから抽選結果の判定を行い、抽選結果をくじ参加者へ通知するまでを自動的に行うことができる。  
【００２５】
なお、くじに取り付ける非接触ＩＣタグには、あらかじめ専用のライターを用いてくじ記号データを書き込んでおく。
【００２６】
くじ参加者が選択したくじは、くじ収容容器から取り出される際に取り出し口に設けられた読み取りアンテナにより、くじに取り付けられた非接触ＩＣタグのくじ記号データが読み取られる。ここで、読み取りアンテナをくじ収容容器に一体化して設けておくことにより、くじ引き抽選システムの運用が容易になる。
【００２７】
ここで、くじとしては、複数の球、あるいは複数のサイコロ状や正八面体等の多面体のものが、無個性で、ＩＣタグを取り付ける上で使い易いが、ぬいぐるみやおみくじのような形状であっても良い。
【００２８】
なお、前記複数の非接触ＩＣタグは、前記複数の球、あるいは複数の多面体形状のくじを取り出す時の位置状態に影響されずに非接触ＩＣタグのくじ記号データを読み取れるよう、非接触ＩＣタグの複数個のうち少なくとも２つを、前記複数の球、あるいは複数の多面体個々について、互いにその非接触ＩＣタグの平面方向が、略直交するように取り付けるのが良い。
【００２９】
このように、複数の球、あるいは複数の多面体のような立体的なくじ個々について、複数の非接触ＩＣタグを、互いにその平面方向が、少なくとも同一平面を除く領域にて、略直交するように取り付けるのは、くじ参加者が、前記くじをどのように掴んでも、いずれかの非接触ＩＣタグが、通信できるようにするためである。
【００３０】
また、前記収納容器には、収納容器と一体化した、非接触ＩＣタグのくじ記号データを読み取るアンテナを設けている。更に、前記収納容器には、当たり、または、はずれの抽選結果を通知する表示装置及びスピーカーを一体化して設けている。                  
【００３１】
また、もう一つの本発明の非接触ＩＣタグを使用したくじ引き抽選システムは、前記抽選用くじを容器から抜き出した時、容器に残る抽選用くじに書き込まれた抽選結果の判定データをアンテナによって読み取って、前記取り出された抽選用のくじが、当たりはずれを検出するものである。この場合のアンテナは、容器に残る抽選用くじのみに指向性を持つように配置される。
【実施例】
【００３２】
図１は、本発明の非接触ＩＣタグを使用したくじ引き抽選システムにおけるくじ収納容器（抽選箱）へのリーダーアンテナの配置方法の説明図である。また、図２は、本発明の非接触ＩＣタグを使用したくじ引き抽選システムにおける、リーダー通信範囲の説明図である。また、図３は、本発明の実施例による非接触ＩＣタグを使用したくじ引き抽選システムの説明図である。
【００３３】
また、図４は、本発明の実施例による非接触ＩＣタグを使用したくじ引き抽選システムに使用されるボール状くじの説明図である。図４（ａ）は、２個の非接触ＩＣタグを互いに直交するように取り付けた一例であり、図４（ｂ）は他の例を示す。図５は、本発明の実施例による非接触ＩＣタグを使用したくじ引き抽選システムに使用される８面体型くじの説明図である。図５（ａ）は、２個の非接触ＩＣタグを互いに直交するように取り付けた一例であり、図５（ｂ）は他の例を示す。
【００３４】
図１、図２に示すように、くじ引き装置のくじ取り出し口を通信範囲が覆うようにリーダーアンテナ１２，２２を配置する。リーダーからは、くじ引き抽選が行われている間、非接触ＩＣタグのくじ記号データを問い合わせる信号が発信されており、くじに配置された非接触ＩＣタグが通信範囲に入ると自動的にそのくじ記号データを読み取る。
【００３５】
読み取られたボール状くじ記号データは、くじ収容容器に一体化された当たりはずれ等の抽選結果の判定機能に送られ抽選が行われる。この抽選結果は、くじ収容容器に一体化された表示装置及びスピーカーによりくじ参加者へ通知される。
【００３６】
くじ参加者がくじを選択したその場で抽選結果がくじ参加者に対して通知されるため、くじ参加者への抽選結果の通知漏れの恐れが無く、抽選機能自体を一体化しているため導入が容易であり、運用コストの安価な信頼性の高いくじ引きシステムである。
【００３７】
くじ引き装置３１は、収納容器１００の底部に非接触ＩＣタグを読み取るリーダー３２と抽選結果の判定を行う制御コンピュータ３４が内蔵されている。くじ収納容器１００上部のくじ取り出し口３５には、リーダーのアンテナ３３が取り付けられ、前記リーダーと合わせてくじ収容容器から取り出されたボール状くじ３７にとりつけられた非接触ＩＣタグの保持するくじ記号データを読み取る。
【００３８】
前記アンテナ３３は、誤ってくじ収納容器１００内の非接触ＩＣタグを読み取らないように通信範囲が装置内に及ばないように設置する。また、３６は抽選結果を表示する液晶ディスプレイである。
【００３９】
図３に示すように、くじ３７はボール状くじであり、非接触ＩＣタグはそのボール状くじ３７の反対側に互いに直交する方向に２個取り付けられるので、ボール状くじが、くじ収容容器から取り出される際の向きに関わらず、ボール状くじに取り付けられた非接触ＩＣデータのくじ記号データを読み取ることができる。非接触ＩＣタグを直交する向きに２個取り付けることにより、くじが取り出させる向きによらず取り出し口のアンテナにより、くじに取り付けられた非接触ＩＣタグのくじ記号データを読み取ることができる。
【００４０】
本実施例でのくじ引きは、以下の通り行われる。くじ主催者は、図４に示すように、非接触ＩＣタグを取り付けたボール状くじを複数用意する。１つのくじに取り付けた２つの非接触ＩＣタグには、同一のくじデータを記憶させておく。くじ主催者は用意した複数くじをくじ収納容器１００に入れておく。くじ参加者は、くじ収容容器からくじを選び取り出す。  
【００４１】
くじ参加者がくじを取り出した時点で、くじ収納容器１００のリーダーがくじに取り付けられた非接触ＩＣタグの保持するくじ記号データを読み取る。読み取られたくじ記号データは、リーダーから抽選結果の判定がコンピュータに送られる。コンピュータでは抽選によってリーダーから送られてきたくじ記号データにより、抽選結果の判定が行われる。抽選結果は液晶ディスプレイに表示され、くじ参加者に通知される。
【産業上の利用可能性】
【００４２】
本発明の非接触ＩＣタグを使用したくじ引き抽選システムは、例えば、一般の個別イベントなどで行われるくじ引き抽選、商店街でのくじ引き抽選、地域での宝くじ等にて使用できる。
【図面の簡単な説明】
【００４３】
【図１】本発明の非接触ＩＣタグを使用したくじ引き抽選システムにおけるくじ収容容器へのリーダーアンテナ配置方法の説明図。
【図２】本発明の非接触ＩＣタグを使用したくじ引き抽選システムにおけるリーダー通信範囲の説明図。
【図３】本発明の実施例による非接触ＩＣタグを使用したくじ引き抽選システムの説明図。
【図４】本発明の実施例による非接触ＩＣタグを使用したくじ引き抽選システムに使用されるボール状くじの説明図。図４（ａ）は、２個の非接触ＩＣタグを互いに直交するように取り付けた一例を示す図、図４（ｂ）は他の例を示す図。
【図５】本発明の実施例による非接触ＩＣタグを使用したくじ引き抽選システムに使用される８面体型くじの説明図。図５（ａ）は、２個の非接触ＩＣタグを互いに直交するように取り付けた一例を示す図、図５（ｂ）は他の例を示す図。
【符号の説明】
【００４４】
１１    くじ引き装置
１００    くじ収納容器
１２，２２    リーダーアンテナ
１３    くじ取り出し口
２１    くじ引き装置
２３    リーダー通信範囲
３１    くじ引き装置
３２    リーダー
３３    （リーダー）アンテナ
３４    制御コンピュータ
３５    くじ取り出し口
３６    液晶ディスプレイ
３７，４１    ボール状くじ
４１ａ，４１ｂ    ８面体型くじ
４２，４３，４５    非接触ＩＣタグ
【図１】
2006202099.tif 000003
【図２】
2006202099.tif 000004
【図３】
2006202099.tif 000005
【図４】
2006202099.tif 000006
【図５】
2006202099.tif 000007